(57)【特許請求の範囲】
【請求項１】
測定値の安定判断を行い、校正処理を実行する計測器の校正方法において、
（ａ）電源がＯＮとされた状態では校正処理を実行している時以外常に、入力された測定値データに基づき、所定時間間隔にて安定判断処理を実行し、
（ｂ）校正キーが押されることによる校正指示入力時には、上記安定判断処理の結果既に安定と判定されている場合には、直ちに校正処理を実行し、不安定と判定されている場合には、引き続き安定判断処理を続行し、安定と判定された時点で校正処理を実行する、
ことを特徴とする計測器の校正方法。
【請求項２】
記憶された複数の測定値データの所定の測定値データを基準データとし、この基準データと所定時間毎に読み込まれ更新記憶される測定値データとを比較し、その差が所定設定値内にある状態が所定回数維持された場合に安定と判定し、校正処理を実行することを特徴とする請求項１の計測器の校正方法。
【請求項３】
所定の基準データと、読み込まれた測定値データとの差が所定設定値外とされた場合不安定と判定し、基準データと読み込まれた測定値データとの差が所定設定値内に入るまで基準データのアドレスをインクリメントして、基準データと読み込まれた測定値データとを比較することを特徴とする請求項１又は２の計測器の校正方法。
【請求項４】
校正指示入力時に、所定の基準データと読み込まれた測定値データとの差が所定設定値内とされているが、この状態が所定回数維持されていない場合には、残りの回数だけ、所定の基準データと読み込まれた測定値データとの差が所定設定値内に維持された場合に安定と判定し、直ちに校正処理を実行することを特徴とする請求項２又は３の計測器の校正方法。
【発明の詳細な説明】
【０００１】
【発明の属する技術分野】
本発明は、例えばｐＨ計やイオンメータなどの計測器における校正方法に関するものである。
【０００２】
【従来の技術】
従来、ｐＨ計やイオンメータなどの計測器においては、使用する前に標準液を用いて電極個々の特性を校正することが必要である。又、校正時に、電極の測定値が安定したかどうかは、使用者が判断するか、又は、計測器が電位の変化を処理判断して安定か否かの判断を自動的に行っている。
【０００３】
更に説明すると、従来の計測器においては、図４に示すように、計測器の電源をＯＮすると、計測器は先ず初期化処理などを実行する。その後、使用者は、校正を必要とする場合には、校正キーを押し、計測器の校正を行う。計測器は、電位の変化を処理判断して電極測定値が安定しているか否かを判断し、安定したと判断した段階で、校正処理を実行する。計測器は、その後、その他表示などの初期化処理を行い、計測のための前処理が完了し、計測可能となる。
【０００４】
【発明が解決しようとする課題】
上述のように、従来、計測器を標準液で校正する際に、電極を標準液に浸し、測定値が安定してから校正キーを押すことが要求され、従って、この校正開始指示を待って始めて一連の安定判断処理が実行される。そのために、既に測定値が安定していた場合であっても、上記の校正のための一連の安定判断処理が実行され、使用者はその間一定時間待機することが余儀なくされた。
【０００５】
又、従来の校正方法では、安定判断処理において或る設定値を超えた場合には不安定と判断され、更に、このときのデータを基準として、所定の設定値内に収まるまで、一連の安定判断処理を繰り返し行うこととされており、安定判断処理時間、つまり、計測器の校正時間が必然的に長いものとなった。
【０００６】
従って、本発明の目的は、安定判断処理時間を短縮し、その結果、校正時間を短くすることのできる計測器の校正方法を提供することである。
【０００７】
【課題を解決するための手段】
上記目的は本発明に係る計測器の校正方法にて達成される。要約すれば、本発明は、測定値の安定判断を行い、校正処理を実行する計測器の校正方法において、
（ａ）電源がＯＮとされた状態では校正処理を実行している時以外常に、入力された測定値データに基づき、所定時間間隔にて安定判断処理を実行し、
（ｂ）校正キーが押されることによる校正指示入力時には、上記安定判断処理の結果既に安定と判定されている場合には、直ちに校正処理を実行し、不安定と判定されている場合には、引き続き安定判断処理を続行し、安定と判定された時点で校正処理を実行する、
ことを特徴とする計測器の校正方法である。
【０００８】
本発明の一実施態様によると、記憶された複数の測定値データの所定の測定値データを基準データとし、この基準データと所定時間毎に読み込まれ更新記憶される測定値データとを比較し、その差が所定設定値内にある状態が所定回数維持された場合に安定と判定し、校正処理を実行する。
【０００９】
本発明の他の実施態様によると、所定の基準データと、読み込まれた測定値データとの差が所定設定値外とされた場合不安定と判定し、基準データと読み込まれた測定値データとの差が所定設定値内に入るまで基準データのアドレスをインクリメントして、基準データと読み込まれた測定値データとを比較する。
【００１０】
本発明の他の実施態様によると、校正指示入力時に、所定の基準データと読み込まれた測定値データとの差が所定設定値内とされているが、この状態が所定回数維持されていない場合には、残りの回数だけ、所定の基準データと読み込まれた測定値データとの差が所定設定値内に維持された場合に安定と判定し、直ちに校正処理を実行する。
【００１１】
【発明の実施の形態】
以下、本発明に係る計測器の校正方法を図面に則して更に詳しく説明する。本実施例では、計測器はｐＨ計であるとして説明するが、本発明はこれに限定されるものではない。
【００１２】
図４に示すように、ｐＨ計の電源をＯＮすると、ｐＨ計は先ず従来と同様の初期化処理を実行する。その後、使用者は、校正キーを押し、ｐＨ計の校正を行う。ｐＨ計は、以下に説明する安定判断処理を行い、安定したと判断した段階で、校正処理を実行する。ｐＨ計は、その後その他表示などの処理を行い、計測のための前処理が完了し、計測可能となる。
【００１３】
本発明に従うと、先ず、電源ＯＮ後においては、図３に示すように、例えｐＨ計が計測モードにあっても、その時の計測データに基づき、所定時間間隔、例えば１秒毎に安定判断処理が実行される。ｐＨ計の校正キーを押したとき、即ち、校正指示入力時には、１秒毎の安定判断処理の結果既に安定と判定されている場合には、直ちに校正処理を実行し、安定判断処理のための待機時間は実質的にゼロとされる。もし、電極測定値が所定設定値内に維持されている場合には、安定判断処理の残りのプロセスを実行するだけで良く、安定と判定された時点で直ちに校正処理を実行する。従って、安定判断処理のための時間が著しく短縮される。
【００１４】
図１及び図２は、本発明の校正方法における安定判断処理の一実施例を示すフローチャートである。
【００１５】
図２に示すように、本発明によれば、ｐＨ計の電源をＯＮとした時点において、先ず、校正処理のための初期化がスタートし、安定判断のための諸ファクターが初期値にセットされる。即ち、安定回数Ｎ＝０、安定判断基準値Ａ＝５ｍＶ、総合判定＝不安定、データ格納アドレスｄ＝２、基準データ格納アドレスｓ＝１、基準データＳ＝０、にセットされる。本実施例では、安定判断基準値Ａは、電位値５ｍＶとされたが、その他の値、例えばｐＨ値＝０．００５などと設定することも可能である。
【００１６】
次に、安定判断処理について図１のフローチャート及び表１のデータを参照して説明する。
【００１７】
本発明によれば、ｐＨ計は、測定したｐＨ値、本実施例では、入力された電位値を常にモニターしており、或る時点での電位値データを基準データとして１秒毎のデータと比較し、このデータと基準データとの差が所定の設定値以内、例えば５ｍＶ以内に連続して所定の回数、本実施例では１５回、即ち、１５秒間維持されれば「安定」と判定し、設定値を超えた場合は「不安定」と判定する。
【００１８】
先ず、図１を参照して、本発明に従った安定判断処理の全体手順を説明する。安定判断処理がスタートすると、データを読み込み、データ格納アドレス（ｄ）にデータ［ｄ］を格納する（ステップ１）。次いで、基準アドレス（Ｓ）に格納しているデータ［Ｓ］と、格納アドレス（ｄ）に格納しているデータ［ｄ］とを比較し、安定判断基準値（Ａ）以下ならステップ３に移行し、安定判断基準値（Ａ）以上ならステップ１２へと移行する。
【００１９】
ステップ３では安定回数（Ｎ）をインクリメントし、ステップ４にてこのインクリメントした安定回数（Ｎ）を所定の回数、即ち、本実施例では、値１５と比較する。安定回数（Ｎ）が１５以上ならステップ５に移行し、安定回数（Ｎ）に１５を入れ、基準アドレス（Ｓ）をインクリメントする。
【００２０】
もし、ステップ４にて安定回数（Ｎ）が１５未満ならステップ１９に移行し、総合判断を不安定と判定する。
【００２１】
ステップ６にて、インクリメントされた基準アドレス（Ｓ）が１７未満ならステップ８に移行し、総合判断を安定と判定する。ステップ６にて基準アドレス（Ｓ）が１７以上ならステップ７に移行して基準アドレス（Ｓ）を１として、ステップ８に移行し、総合判断を安定と判定する。
【００２２】
ステップ８にて総合判断が安定と判定された場合には、ステップ９にてデータ格納アドレス（ｄ）をインクリメントし、この値を所定値、本実施例では１７と比較する（ステップ１０）。ステップ１０にて、データ格納アドレス（ｄ）が１７未満なら、安定判断処理ルーチンを終了する。データ格納アドレス（ｄ）が１７以上なら、ステップ１１に移行し、データ格納アドレス（ｄ）を１にして、安定判断処理ルーチンを終了する。
【００２３】
一方、ステップ２にて、基準アドレス（Ｓ）に格納しているデータ［Ｓ］と、格納アドレス（ｄ）に格納しているデータ［ｄ］とを比較した結果、安定判断基準値（Ａ）以下とされた場合には、ステップ１２にて、安定回数（Ｎ）をデクリメントする。このデクリメント後の安定回数（Ｎ）が１以上なら、ステップ１５へと移行する。もし、安定回数（Ｎ）が０以下なら安定回数（Ｎ）に０を入れ（ステップ１４）、ステップ１９へと移行して総合判断を不安定と判定する。
【００２４】
ステップ１５では、基準アドレス（Ｓ）をインクリメントし、このインクリメントされた基準アドレス（Ｓ）を値１７と比較し（ステップ１６）、１７未満ならステップ１８に移行し、１７以上ならステップ１７へと移行して基準アドレス（Ｓ）を１として、ステップ１８へと移行する。
【００２５】
ステップ１８では、基準アドレス（Ｓ）に格納しているデータ［Ｓ］と、格納アドレス（ｄ）に格納しているデータ［ｄ］を比較し、安定判断基準値（Ａ）未満ならステップ１９へと移行し、総合判断を不安定と判定する。もし、安定判断基準値（Ａ）以上ならステップ１２へと移行し、上記手順を繰り返す。
【００２６】
ステップ１９にて総合判断が不安定と判定されたなら、ステップ９へと移行し、それ以降の手順を実行する。
【００２７】
次に、本発明に従って行われたｐＨ計における実際の安定化判断処理の一実施例を表１に即して説明する。
【００２８】
本実施例では、上述したように、電位値データを基準データとして１秒毎のデータと比較し、このデータと基準データとの差が所定の設定値以内、即ち、５ｍＶ以内に連続して所定の回数、本実施例では１５回、即ち、１５秒間維持されれば「安定」と判定し、設定値を超えた場合は「不安定」と判定した。
【００２９】
本実施例のｐＨ計は、１６回分のデータを記憶する領域（バッファアドレス１〜１６）を備えており、初期化スタート時に最初の基準点（基準データ）として「０」をアドレスＮＯ．１に格納する（表１：０秒時）。
【００３０】
次に、１秒後に読み込んだ２番目のデータは、アドレスＮＯ．２に格納し、基準点である１番目のデータと比較する（表１：１秒時）。１番目のデータと２番目のデータとの差が設定値、本実施例では、５ｍＶ以内であれば、安定回数を１とする。
【００３１】
続いて読み込んだ３番目のデータは、アドレスＮＯ．３に格納し、１番目のデータと比較する（表１：２秒時）。１番目のデータと３番目のデータとの差が設定値５ｍＶ以内であれば、安定回数を１増加し、２とする。
【００３２】
同様にして、１秒ごとに判断し、安定回数が１５に達したとき（表１：１５秒時）、即ち、１６番目のデータと１番目のデータとの差が設定値５ｍＶ以内であれば、安定回数は１５となり、ｐＨ計は「安定」と判断する。
【００３３】
ｐＨ計が「安定」と判断されたこの時点で、基準点をアドレスＮＯ．１のデータから、アドレスＮＯ．２に格納したデータに変え、読み込んだデータはアドレスＮＯ．１に格納する（表１：１６秒時）。
【００３４】
次いで、上述したと同様にして、１秒毎にデータを読み込み、今度は、アドレスＮＯ．２に格納したデータである基準点と比較して安定か否かを判定する。
【００３５】
ここで、表１：１６秒時のように、読み込んでアドレスＮＯ．１に格納したデータと基準点のデータとの差が設定値、即ち、５ｍＶより大きくなった場合には、現在の基準点を次のアドレス、即ち、アドレスＮＯ．３に格納したデータに変更し、安定回数は１だけ減算する。そして、更に、この変更した基準点のデータと再度比較する。それでもなお、この基準点との差が設定値内とならない場合には、基準点を更に次のアドレスＮＯ．４に格納したデータに変更した後、この更に変更した基準点と再度比較する。同様にして、変更した基準点との差が設定値内となるまで基準点を移動させる。
【００３６】
つまり、本実施例では、読み込みデータと基準データ（基準点）との差が基準内（５ｍＶ）にはいるまで最大１５回、基準点のアドレスがインクリメントされる。
【００３７】
基準点を１５回インクリメントしても変更した基準点との差が設定値内にならないときは、基準点をアドレスＮＯ．１に格納したデータに変更し（表１：１７秒時）、新たに読み込んだデータはアドレスＮＯ．２に格納し、基準点とデータとを比較する。このデータと基準点との差が設定値５ｍＶ以内であれば、安定回数を１とする。
【００３８】
続いて１秒後に読み込んだデータは、アドレスＮＯ．３に格納し、アドレスＮＯ．１に格納した基準点と比較する（表１：１８秒時）。基準点とデータとの差が設定値５ｍＶ以内であれば、安定回数を１増加し、２とする。
【００３９】
同様にして、１秒ごとに判断し、安定回数が１５に達したとき（表１：２７秒時）、即ち、アドレスＮＯ．１６に格納した１６番目のデータと基準点との差が設定値５ｍＶ以内であれば、安定回数は１５となり、ｐＨ計は「安定」と判断する。
【００４０】
ｐＨ計が「安定」と判断されたこの時点で、基準点をアドレスＮＯ．１のデータから、アドレスＮＯ．２に格納したデータに変え、読み込んだデータはアドレスＮＯ．１に格納する（表１：２８秒時）。基準点とデータとを比較し、基準点とデータとの差が設定値５ｍＶ以内であれば、安定回数は１５としたままで、ｐＨ計は「安定」と判断する。
【００４１】
ｐＨ計が「安定」と判断されたこの時点で、基準点をアドレスＮＯ．２のデータからアドレスＮＯ．３に格納したデータに変え、読み込んだデータはアドレスＮＯ．２に格納する（表１：２９秒時）。このデータを基準点と比較して安定か否かを判定する。基準点とデータとの差が設定値５ｍＶ以内であれば、安定回数は１５としたままで、ｐＨ計は「安定」と判断する。
【００４２】
ｐＨ計が「安定」と判断されたこの時点で、基準点をアドレスＮＯ．３のデータからアドレスＮＯ．４に格納したデータに変え、読み込んだデータはアドレスＮＯ．３に格納する（表１：３０秒時）。このデータを基準点と比較する。読み込んだデータと基準点のデータとの差が設定値、即ち、５ｍＶより大きくなった場合には、現在の基準点を次のアドレス、即ち、アドレスＮＯ．５に格納したデータに変更し、安定回数は１だけ減算し１４とする。
【００４３】
続いて、アドレスＮＯ．５に格納したデータをこの変更した基準点のデータと再度比較する。本実施例では、２番目のインクリメントにて変更した基準点との差が設定値内となっており、従って、安定と判定し、安定回数を１増加し、１５とする。安定回数が１５となったことにより、ｐＨ計は「安定」と判断する。つまり、表１の３１秒時は、一つ前は不安定であるが、このデータから１４個前の間でのデータは基準に入っているので安定とする。
【００４４】
ｐＨ計が「安定」と判断されたこの時点で、基準点をアドレスＮＯ．５のデータからアドレスＮＯ．６に格納したデータに変え、１秒後にデータを読み込み（表１：３２秒時）、このデータをアドレスＮＯ．５に格納し、アドレスＮＯ．６に格納した基準点と比較する。読み込んだデータと基準点のデータとの差が設定値、即ち、５ｍＶより大きくなった場合には、現在の基準点を次のアドレス、即ち、アドレスＮＯ．７に格納したデータに変更し、安定回数は１だけ減算し１４とする。そして、更に、この変更した基準点のデータと再度比較する。同様にして、変更した基準点との差が設定値内となるまで、本実施例では、最大１秒間内で、且つ最大１５回だけ基準点を移動させる。
【００４５】
基準点を１５回移動しても変更した基準点との差が設定値内にならないときは、基準点をアドレスＮＯ．５に格納したデータに変更し（表１：３３秒時）、読み込んだデータはアドレスＮＯ．６に格納し、基準点とデータとを比較する。このデータと基準点との差が設定値５ｍＶ以内であれば、安定回数を１とする。
【００４６】
以後同様にして安定判断処理を行う。
【００４７】
安定判断処理にて安定と判断された場合には、ｐＨ計は、直ちに校正処理をスタートさせることができる。
【００４８】
【表１】
0003561737.tif 000002
【００４９】
【発明の効果】
以上説明したように、本発明の計測器の校正方法は、測定値の安定判断を行い、校正処理を実行する計測器の校正方法において、（ａ）電源がＯＮとされた状態では校正処理を実行している時以外常に、入力された測定値データに基づき、所定時間間隔にて安定判断処理を実行し、（ｂ）校正キーが押されることによる校正指示入力時には、上記安定判断処理の結果既に安定と判定されている場合には、直ちに校正処理を実行し、不安定と判定されている場合には、引き続き安定判断処理を続行し、安定と判定された時点で校正処理を実行する、構成とされるので、安定判断処理時間を短縮し、その結果、校正時間を短くすることができる。
【図面の簡単な説明】
【図１】本発明に係る計測器の校正方法の一実施例を説明するフローチャートである。
【図２】本発明に係る計測器の校正方法を説明するフローチャートである。
【図３】本発明に係る計測器の校正方法を説明するフローチャートである。
【図４】本発明に係る計測器の校正方法を説明するフローチャートである。
【図１】
0003561737.tif 000003
【図２】
0003561737.tif 000004
【図３】
0003561737.tif 000005
【図４】
0003561737.tif 000006